(57)【特許請求の範囲】
【請求項１】
暖房器の枠体１内を貫通する空気流路２を設け、
該空気流路２の入口側に室内空気を空気流路２へ吹込む対流ファン３を設け、
かつ、空気流路２の出口側に温風吹出口４を設け、
前記暖房器の枠体１の下端は周縁が床面に接触すると共に、その他の部分が床面と所定間隔を維持する置台５の上に取付けられており、
前記枠体１内には熱量を空気流路２に供給する熱源６を取付けた温風暖房器において、
前記熱源６は置台５の上に取付けたバーナ６ａと上部が空気流路２内へ届く燃焼室６ｂとで構成し、
該空気流路２は出口側の上板を温風吹出口４に向けて傾斜すると共に、空気流路２の底板にはバーナ６ａもしくは燃焼室６ｂとの間の隙間で空気流出部７を形成し、
前記バーナ６ａの取付部付近の置台５には枠体１内から置台５と床面との間隔へ向かう流路が形成される開口８を設け、
該置台５の周縁の一部には床面と接触しない隙間９を形成し、
対流ファン３によって空気流路２に送られた風が、空気流出部７からバーナ側壁部を経て置台５の開口８から該置台５と床面との間隔に入り、置台５の周縁の隙間９から流出することを特徴とする温風暖房器の置台構造。
【発明の詳細な説明】
【０００１】
【産業上の利用分野】
この発明は温風暖房器の枠体内の温度を低下して、床面の温度を低温度に維持できる置台に関するものである。
【０００２】
【従来の技術】
最近の温風暖房器は枠体の大きさを小さくしながら大きな発熱量が得られるものが好まれる傾向で、小形のファンヒータと呼ばれる暖房器が多くなってきた。このファンヒータと呼ばれる暖房器は枠体内に空気流路があり、この流路を室内空気が通過する時に暖められて温風となり、空気流路の出口である温風吹出口から室内に温風として吹出すものである。
【０００３】
そして、小形の電気ストーブのように、熱源の全体が空気流路の中に収納されるものを除いて、大型の発熱体を持つ電気温風機や、ガスや石油のバーナを持つものでは、熱源の多くが枠体内に位置しており、熱源からの放熱で枠体内が高温になりやすいものである。この温度上昇の影響は枠体の形状をコンパクトにする程大きく現われるから、発熱量に見合った大きさの枠体によって製品化されている。
【０００４】
【発明が解決しようとする課題】
しかし、最近の商品の小形化の要求は温風暖房器にもあり、この要求に答える形で遮熱板などを多用して温風暖房器の枠体が小さくなってきたが、内部構造は複雑になり、製造コストが上がる傾向にあった。更に、実質的には熱に対して余裕のない設計であるから、周囲の温度条件の変動や、熱源にバーナを用いるものでは燃焼バランスが少し変化しただけで床面の温度上昇が起こり、気付かない内にフローリング床を焦げ付かせてしまうことがあり、枠体内や床の温度を低下する構造が必要になってきた。
【０００５】
【課題を解決するための手段】
この発明は上記課題を解決するもので、暖房器の枠体１内を貫通する空気流路２を設け、該空気流路２の入口側に室内空気を空気流路２へ吹込む対流ファン３を設け、かつ、空気流路２の出口側に温風吹出口４を設け、前記暖房器の枠体１の下端は周縁が床面に接触すると共に、その他の部分が床面と所定間隔を維持する置台５の上に取付けられており、前記枠体１内には熱量を空気流路２に供給する熱源６を取付けた温風暖房器において、前記熱源６は置台５の上に取付けたバーナ６ａと上部が空気流路２内へ届く燃焼室６ｂとで構成し、該空気流路２は出口側の上板を温風吹出口４に向けて傾斜すると共に、空気流路２の底板にはバーナ６ａもしくは燃焼室６ｂとの間の隙間で空気流出部７を形成し、前記バーナ６ａの取付部付近の置台５には枠体１内から置台５と床面との間隔へ向かう流路が形成される開口８を設け、該置台５の周縁の一部には床面と接触しない隙間９を形成したものである。
【０００６】
また、このような構成によって対流ファン３によって空気流路２に送られた風が、空気流出部７からバーナ側壁部を経て置台５の開口８から該置台５と床面との間隔に入り、置台５の周縁の隙間９から流出するようになったから、燃焼室６ｂとの隙間で形成する空気流出部７から枠体１内に入り、置台５の開口８から床面との隙間９を経て外部へ抜ける対流ファン３の風の流路が特定できたものである。
【０００７】
【作用】
この発明では対流ファン３で送られる室内空気が空気流路２を通過する時に、室内空気の一部は空気流出部７から枠体１内に入り、置台５の開口８から置台５と床面との隙間に流れ込むことができる。そして、置台５と床面との間隙に入った空気は、置台５の周縁の一部分に形成した隙間９から室内に向かって流出することになる。この為、枠体１内と置台５の下面の空間に空気が滞留することがなくなり、枠体１内の熱源６に付随する部品類や、置台５の熱がこの空気流に放熱するようになった。
【０００８】
【実施例】
図に示す暖房機の実施例によってこの発明を説明すると、１は暖房機の枠体、２は枠体１内に構成した空気流路、３は空気流路２の入口側である枠体１の背板側に位置して取付けた対流ファン、４は空気流路２の出口側である枠体１の前板に形成した温風吹出口である。５は周縁が床面に接触しながらその他の部分が床面と所定間隔を維持する置台であり、該置台５は温風暖房器の底板を兼ねており、枠体１の下端が置台５の上に取付けられている。
【０００９】
６は枠体１内に配置した熱源であり、図に示す実施例の熱源６はポット式の石油バーナ６ａと、バーナ６ａの上方に連接した燃焼室６ｂで構成している。また、１０は液体燃料をバーナ６ａに供給する燃料ポンプ、１１は燃焼空気をバーナ６ａに供給する為の燃焼ファン、１２はバーナ６ａの点火装置であり、バーナ６ａに送られた燃料は点火装置１２によって着火して、供給される空気によって燃焼を行なう。尚、温風暖房器の熱源６は実施例のような石油バーナに特定されることなく、ガスバーナや電気発熱体で構成してもよい。
【００１０】
バーナ６の一部を構成する燃焼室６ｂは前記空気流路３に開放しており、熱源６であるバーナ６ａから発生した燃焼ガスは燃焼室６ｂを出て、対流ファン５によって空気流路３に送られる室内空気と混合し、温風となって温風吹出口４から室内に吹出して暖房するものである。
【００１１】
ところで、枠体１内に装置される熱源６は空気流路２に放熱するだけでなく、枠体１内にも放熱しており、この熱は枠体１内を対流する空気によって拡散しながら枠体１の壁面などから放熱している。しかし、最近の温風暖房器のように枠体１の形状が小さくなると空気が対流する空間を形成することができず、枠体１内が高温になり、この熱が置台５から床面に影響して、床の絨毯やフローリングを焦がすことがある。この為、枠体１を小さくする時は熱源６の周囲を遮熱板で覆い、熱源６の熱が枠体１内に放熱しにくくしているが、構造が複雑となり、かなりのコストアップになるものであった。
【００１２】
この発明は温風暖房器の枠体１の形状を小さくしても、床面を高温にするトラブルが発生しないようにするものであり、７は空気流路２を通過する空気がまだ高温にならない部分である対流ファン３から熱源６付近に至る空気流路２に形成した空気流出部である。８は床面から浮かせた置台５に形成した開口、９は床面に接触する置台５の周縁部分の一部を床面と接触しないように形成した隙間であり、対流ファン３を運転すると空気流路２に送られた室内空気の一部は、空気流通部７から枠体１内に入り、開口８から置台５と床面との間隔に入り、置台５の周縁の隙間９から室外に流出する。
【００１３】
従って、温風暖房器の運転中は対流ファン３によって、常に枠体１内の空気が入換わって低温度を維持することができ、また、置台６の開口８から置台６の周縁の隙間９に向かう空気が狭い所定間隔を通過する時に、置台５や床面に沿って流れることで置台６と床面の熱を奪うことができるから、床面が輻射熱で高温になりにくく、低温度を維持することができた。
【００１４】
また、熱源６がバーナ６ａと燃焼室６ｂで構成する時には、枠体１内にバーナ６ａが設置され、燃焼室６ｂの端が空気流路２内に届く構造となるから、熱源６によって空気流路２を貫通することになる。この為、空気流出部７はバーナ６ａもしくは燃焼室６ｂと空気流路２との間の隙間で形成したから、空気流路２に熱源を固着しなくともよくなり、構造が簡単になるものである。
【００１５】
【発明の効果】
上記のように従来の温風暖房器では枠体１の形状を熱源６の発熱量に見合った大きさよりも小さくすると、熱源６からの放熱が充分おこなわれずに枠体１内に熱がこもり、この熱は置台５の温度を高め、置台５の輻射熱で床面が加熱されて床面の素材を焦がす恐れがあった。この発明は、対流ファン３で送られる空気を枠体１内に流入させるだけではなく、置台５に開口を設け、更に、置台５の床と接する周縁の一部に隙間９を形成したから、枠体１内に送られた空気は置台５と床面との間隔を経て隙間９から室内に流出できるようになった。
【００１６】
従って、熱源６に遮熱板などを設けなくとも、空気流によって置台５と床面が冷却されるから、温風暖房器の形状を小さくしても床面の温度を低く維持することができたものである。更に、床面の温度が低く維持できることは安全性能を優れたものとすることができたものである。
【００１７】
また、具体的な構造として、熱源６に石油バーナを使う時には、バーナ６ａと燃焼室６ｂで熱源６を構成することになり、空気流路２とバーナ６ａもしくは燃焼室６ｂとの隙間で空気流出部７を構成すれば、枠体１内から空気流路２内に至る熱源６を空気流路２の壁に固定する必要がなくなって、構造が簡単になるものである。また、熱源６に沿った空気流が形成されるから、熱源６の外表面の温度を放熱して、輻射熱による置台５の温度上昇を抑えることができるようになり、床面の温度低下に効果がある。
【図面の簡単な説明】
【図１】この発明の実施例を示す温風暖房器の断面図である。
【符号の説明】
１    枠体
２    空気流路
３    対流ファン
４    温風吹出口
５    置台
６    熱源
６ａ  バーナ
６ｂ  燃焼室
７    空気流出部
８    開口
９    隙間
【図１】
0003564695.tif 000002